(57)【要約】【課題】間仕切部材の施工性を向上し得る間仕切装置を提供する。【解決手段】間仕切装置１は、天井側入隅部５に沿わせるように壁下地２に固定される固定フレーム１０と、前記固定フレームの長手方向に沿って間隔を空けてそれぞれの一端１１ａが連結されるとともに、この固定フレームに対して略直交方向で天井面３に沿うように配設される複数の支持アーム１１と、これら複数の支持アームの他端１１ｂ同士を連結するようにこれら複数の支持アームの他端に連結される上枠部材１４と、前記上枠部材に上端が保持される間仕切部材１８と、を備えている。【選択図】図１
2012197593.tif 000002
【特許請求の範囲】
【請求項１】
天井側入隅部に沿わせるように壁下地に固定される固定フレームと、
前記固定フレームの長手方向に沿って間隔を空けてそれぞれの一端が連結されるとともに、この固定フレームに対して略直交方向で天井面に沿うように配設される複数の支持アームと、
これら複数の支持アームの他端同士を連結するようにこれら複数の支持アームの他端に連結される上枠部材と、
前記上枠部材に上端が保持される間仕切部材と、
を備えていることを特徴とする間仕切装置。
【請求項２】
請求項１において、
上端が前記支持アームに連結され、下端が床側に固定される縦フレームを更に備えていることを特徴とする間仕切装置。
【請求項３】
請求項２において、
前記固定フレームと前記支持アームの一端、及び前記支持アームと前記縦フレームの上端は、それぞれ連結ブロックを介して着脱自在に固定止具によって連結固定される構造とされていることを特徴とする間仕切装置。
【請求項４】
請求項１乃至３のいずれか１項において、
前記間仕切部材は、扉部材とされ、
前記上枠部材は、前記扉部材の開閉を案内する上レールを備えていることを特徴とする間仕切装置。
【発明の詳細な説明】
【技術分野】
【０００１】
本発明は、住居等の建物に施工される間仕切部材を備えた間仕切装置に関する。
【背景技術】
【０００２】
従来より建物内空間を区画したり、建物内空間に設けられた開口を開閉したりするための間仕切パネルや扉等の間仕切部材が汎用されている。このような間仕切部材は、一般的には、間仕切部材上端を保持する上枠やガイドレール等を天井や垂れ壁等に固定し、建て付けられる構造とされている（例えば、下記特許文献１参照）。
【先行技術文献】
【特許文献】
【０００３】
【特許文献１】特開２００４−１１６２４７号公報
【発明の概要】
【発明が解決しようとする課題】
【０００４】
しかしながら、上記したような建て付け構造を採用した場合において、天井面に不陸等がある際には、上枠を水平に固定するために天井面を水平にする大掛かりな工事が必要となり、また、垂れ壁を設ける場合にも大掛かりな工事（造作）が必要となる。
【０００５】
本発明は、上記実情に鑑みてなされたものであり、間仕切部材の施工性を向上し得る間仕切装置を提供することを目的としている。
【課題を解決するための手段】
【０００６】
上記目的を達成するために、本発明に係る間仕切装置は、天井側入隅部に沿わせるように壁下地に固定される固定フレームと、前記固定フレームの長手方向に沿って間隔を空けてそれぞれの一端が連結されるとともに、この固定フレームに対して略直交方向で天井面に沿うように配設される複数の支持アームと、これら複数の支持アームの他端同士を連結するようにこれら複数の支持アームの他端に連結される上枠部材と、前記上枠部材に上端が保持される間仕切部材と、を備えていることを特徴とする。
【０００７】
本発明においては、上端が前記支持アームに連結され、下端が床側に固定される縦フレームを更に備えたものとしてもよい。
また、本発明においては、前記固定フレームと前記支持アームの一端、及び前記支持アームと前記縦フレームの上端を、それぞれ連結ブロックを介して着脱自在に固定止具によって連結固定される構造としてもよい。
また、本発明においては、前記間仕切部材を、扉部材とし、前記上枠部材を、前記扉部材の開閉を案内する上レールを備えたものとしてもよい。
【発明の効果】
【０００８】
本発明に係る間仕切装置は、上述のような構成としたことで、間仕切部材の施工性を向上させることができる。
【図面の簡単な説明】
【０００９】
【図１】本発明の一実施形態に係る間仕切装置の一例を施工した状態を模式的に示す一部破断概略斜視図である。
【図２】同間仕切装置を組み付けた状態を模式的に示す一部破断概略側面図である。
【図３】同間仕切装置の施工手順の一例を説明するための説明図である。
【発明を実施するための形態】
【００１０】
以下に本発明の実施の形態について、図面に基づいて説明する。
なお、以下の実施形態では、間仕切装置が施工された状態において、間仕切部材及び壁下地に配設された壁パネルに対面した使用者を基準として、前後方向や上下方向等の方向を説明する。
【００１１】
図１〜図３は、本実施形態に係る間仕切装置の一例について説明するための概念的な説明図である。
本実施形態に係る間仕切装置１は、図１に示すように、壁下地２と天井面３との入隅部（天井側入隅部）５に沿わせるように壁下地２に固定される固定フレーム１０と、この固定フレーム１０に後端１１ａが連結される複数の支持アーム１１とを備えている。また、間仕切装置１は、これら複数の支持アーム１１の前端１１ｂ同士を連結するようにこれら複数の支持アーム１１の前端１１ｂに連結され、間仕切部材としてのスライド扉１８の上端を保持する上枠部材１４を備えている。
また、本実施形態では、支持アーム１１の長手方向途中部位に連結され、上下方向に配設される縦フレーム１２を更に備えている。
【００１２】
壁下地２は、胴縁や桟部材、間柱、通し柱、下地パネル等としてもよい。または、このような木造の壁下地とする態様に限られず、鉄筋コンクリート造等の建築物において、直壁仕上げ等とされている場合には、その仕上げ面を壁下地としてもよい。
図例では、この壁下地２に、上下方向に長尺の複数枚の壁パネル６を固定した例を示している。この壁パネル６の壁下地２への固定は、木ねじや釘等の固定止具を用いて固定したり、接着剤等により接着固定したりするようにしてもよい。または、壁下地２及び壁パネル６の背面に互いに係合する係合金具等を設け、これらを係合させることで壁パネル６を壁下地２に固定する態様としてもよい。
【００１３】
この壁パネル６は、図２に示すように、床面４近傍から天井面３近傍に至るような高さ寸法とされている。また、壁パネル６の床側に、壁下地２と床面４との入隅部に沿って巾木部材を配設した例を示している。また、壁パネル６の天井側に、天井面３から固定フレーム１０の上下寸法に略相当する所定間隔を空けて廻縁部材を壁下地２に固定した例を示している。
これら巾木部材及び廻縁部材としては、公知の木質系材料からなる帯状のものとしてもよく、または、壁パネル６の上下端部にそれぞれ係合する係合凹所等を有した合成樹脂系材料や金属系材料等からなるものとしてもよい。
【００１４】
固定フレーム１０は、長尺に形成されており、図２に示すように、中空を有した四角筒状とされている。この固定フレーム１０は、その後面を壁下地２に当接させて水平となるように天井側入隅部５に沿って壁下地２に固定される。この固定フレーム１０の壁下地２への固定は、ボルトやねじ等の固定止具によって固定するようにしてもよく、接着剤等によって接着固定するようにしてもよい。また、この固定フレーム１０を、壁パネル６の上端に配設される廻縁部材として兼用するようにしてもよい。この場合、壁パネル６の上端部前面を覆う垂下片等を設けるようにしてもよい。
【００１５】
また、この固定フレーム１０の前面には、長手方向に沿って間隔を空けて複数（図例では、５本）の支持アーム１１の後端１１ａが連結される。
なお、この固定フレーム１０の長さ寸法は、間仕切部材（本実施形態ではスライド扉）１８の幅寸法に応じた寸法としてもよく、適宜の規格化等された長さ寸法とし、施工現場等において適宜の長さに切断されるものとしてもよい。例えば、本実施形態のように、間仕切部材を扉部材としての複数枚のスライド扉１８とした場合には、これら複数枚のスライド扉１８が閉止された状態における全体の幅寸法に応じた長さ寸法としてもよい。
【００１６】
支持アーム１１は、長尺の中空筒状体とされ、一端（後端）１１ａが固定フレーム１０の前面に連結されるとともに、固定フレーム１０に対して略直交方向で天井面３に沿うように、つまり、壁パネル６の前面に対して前後方向に沿って配設される。
この支持アーム１１の上下寸法（厚さ寸法）は、図２に示すように、固定フレーム１０の上下寸法（厚さ寸法）と略同寸法とされている。
また、この支持アーム１１の他端（前端）には、上枠部材１４に係合する切欠凹所１１ｂが形成されている。
【００１７】
切欠凹所１１ｂは、支持アーム１１の前端下部側を切り欠くようにして形成されている。この切欠凹所１１ｂの前後寸法及び上下寸法は、後記する上枠部材１４のレール保持フレーム１５の前後寸法（幅寸法）及び上下寸法（厚さ寸法）とそれぞれ略同寸法とされている。このような切欠凹所１１ｂを設けることで、例えば、支持アーム１１の前端下面に付設するように上枠部材１４を固定する態様とした場合と比べて、手前側から見た際に上枠部材１４及び支持アーム１１を目立ち難くすることができ、見栄えを向上させることができる。
この支持アーム１１の長さ寸法は、適宜の規格化等された長さ寸法とし、壁面を構成する壁パネル６の前面からスライド扉１８を設けたい位置等に応じて、施工現場等において例えば後端側を適宜の長さに切断するようにしてもよい。
【００１８】
この支持アーム１１の後端１１ａと固定フレーム１０とは、本実施形態では、連結ブロック１３を介して着脱自在にボルトやねじ等の固定止具９によって連結固定される構造とされている。図例では、固定フレーム１０の長手方向両端部のそれぞれに支持アーム１１，１１を連結し、これら両側の支持アーム１１，１１から略等間隔を空けて３本の支持アーム１１を固定フレーム１０に連結した態様としている。これら支持アーム１１を設ける間隔や本数は、後記する縦フレーム１２の配設有無や後記する上枠部材１４によるスライド扉１８の保持態様（支持態様）、スライド扉１８の枚数や扉幅寸法等に応じて適宜、設定するようにすればよい。図例では、スライド扉１８の扉幅寸法と略同寸法程度の間隔を空けて各支持アーム１１を固定フレーム１０に連結した例を示している。
【００１９】
連結ブロック１３は、図２及び図３に示すように、略直方体形状とされ、支持アーム１１の後端１１ａ側の開口から支持アーム１１の中空内に挿入可能な構成とされている。
この連結ブロック１３を用いて固定フレーム１０と支持アーム１１の後端１１ａとを連結する際には、図３に示すように、連結ブロック１３を固定フレーム１０の前面に固定止具９によって固定（締結）する。次いで、支持アーム１１の後端１１ａの開口から中空内に連結ブロック１３を受け入れさせ、支持アーム１１を連結ブロック１３に固定止具９によって固定（締結）する。この際、図例のように支持アーム１１の下面側から固定止具９が止着される態様としてもよい。これによれば、固定止具９の頭部等を目立ち難くすることができる。このような態様に代えて、または加えて、支持アーム１１の固定止具９の止着箇所に、固定止具９の頭部等の収容凹部を設けておく態様としてもよい。
【００２０】
なお、これら固定フレーム１０、支持アーム１１及び連結ブロック１３の固定止具９の止着箇所に、例えば、埋め込みナット等からなる雌ねじ孔や止具挿通孔等を適宜、設けるようにしてもよい。例えば、固定フレーム１０の支持アーム１１の連結箇所となる位置に長手方向に沿って間隔を空けて、固定止具９に螺合する複数の雌ねじ孔を予め設けておき、連結ブロック１３には、前後方向に貫通する止具挿通孔を予め設けておくようにしてもよい。この際、スライド扉１８の枚数や扉幅寸法等に応じて、固定フレーム１０に対して支持アーム１１を設ける間隔を一定間隔として設定しておき、その間隔で雌ねじ孔を設けるようにすればよい。または、固定フレーム１０に雌ねじ孔を設けずに連結ブロック１３の止具挿通孔を介して固定止具９を挿通し、固定フレーム１０に捩じ込むことで、これらを連結固定する態様としてもよい。
【００２１】
また、連結ブロック１３の下側部に上記同様の雌ねじ孔を予め設けておき、支持アーム１１の後端１１ａに止具挿通孔を予め設けておくようにしてもよい。または、これらの両方若しくは一方を設けずに固定止具９を支持アーム１１の後端１１ａ及び連結ブロック１３の下側部の両方若しくは一方に捩じ込むことで、これらを連結固定する態様としてもよい。
さらには、このような連結ブロック１３を別部材として備えた態様に代えて、固定フレーム１０の前面側に、支持アーム１１の後端開口に嵌合する連結凸部を予め付設するように設けておく態様としてもよい。
このように、支持アーム１１の後端開口に嵌合する連結凸部や連結凸部となる連結ブロック１３を備えた構成とすることで、例えば、支持アーム１１の後端と固定フレーム１０の前面とをＬ型金具等によって連結固定する態様に比べて、見栄えを向上させることができる。また、支持アーム１１の固定位置の位置決め等を容易に行うことができ、施工時における作業性を向上させることができる。
【００２２】
縦フレーム１２は、固定フレーム１０と同様、長尺の中空四角筒状体とされ、左右寸法（幅寸法）が支持アーム１１の左右寸法（幅寸法）と略同寸法とされている。
また、この縦フレーム１２の長さ寸法は、図２に示すように、床面４から支持アーム１１の下面までの高さ寸法に応じた寸法とされている。この縦フレーム１２は、支持アーム１１の長手方向（前後方向）の略中央部位または中央部位よりも前方側の部位に上端１２ａが連結されるものとしてもよい。
【００２３】
また、本実施形態では、縦フレーム１２は、図１に示すように、隣接する縦フレーム１２，１２同士の間に棚板７の取り付けが可能な棚板支持部を有した構成とされている。このような棚板支持部としては、隣接する縦フレーム１２，１２同士の対向面に、対向方向に沿って突出する棚板支持片を設けた構成としたり、互いに向き合う方向に開口する断面略コ字状（Ｕ字状乃至はＣ字状）の棚板挟持片を設けた構成としたりしてもよい。また、上下方向に沿って間隔を空けて複数の棚板支持部を設けるようにしてもよい。さらには、縦フレーム１２の左右両側面に、棚板支持部を取り付ける複数の凹所等を上下方向に沿って間隔を空けて設けておき、必要に応じて棚板支持部を取り付け得る態様としてもよい。
【００２４】
この縦フレーム１２の上端１２ａ及び下端１２ｂと、支持アーム１１及び床面４とは、本実施形態では、上記同様の連結ブロック１３，１３を介して着脱自在にボルトやねじ等の固定止具９によって連結固定される構造とされている。これら連結ブロック１３，１３を用いて縦フレーム１２を施工する際には、縦フレーム１２の配設位置に応じて、支持アーム１１の下面及び床面４のそれぞれに連結ブロック１３，１３を固定止具９によって固定（締結）する。そして、縦フレーム１２の上端１２ａ及び下端１２ｂの開口から中空内に各連結ブロック１３，１３を受け入れさせ、縦フレーム１２の上端１２ａ及び下端１２ｂを各連結ブロック１３，１３に固定止具９によって固定（締結）することで縦フレーム１２を施工する態様としてもよい（図３参照）。この際、図例のように縦フレーム１２の背面側から固定止具９が止着される態様としてもよい。これによれば、上記同様、固定止具９の頭部等を目立ち難くすることができる。このような態様に代えて、または加えて、上記同様、縦フレーム１２の固定止具９の止着箇所に、固定止具９の頭部等の収容凹部を設けておく態様としてもよい。
【００２５】
なお、上記同様、支持アーム１１、縦フレーム１２及び上下の連結ブロック１３の固定止具９の止着箇所に、雌ねじ孔や止具挿通孔等を適宜、設けるようにしてもよい。例えば、支持アーム１１の縦フレーム１２との連結箇所に、固定止具９に螺合する雌ねじ孔を予め設けておき、上側の連結ブロック１３には、上下方向に貫通する止具挿通孔を予め設けておくようにしてもよい。または、支持アーム１１に雌ねじ孔を設けずに連結ブロック１３の止具挿通孔を介して固定止具９を挿通し、支持アーム１１に捩じ込むことで、これらを連結固定する態様としてもよい。また、上側の連結ブロック１３の後側部に上記同様の雌ねじ孔を予め設けておき、縦フレーム１２の上端１２ａに止具挿通孔を予め設けておくようにしてもよい。または、これらの両方若しくは一方を設けずに固定止具９を縦フレーム１２の上端１２ａ及び連結ブロック１３の後側部の両方若しくは一方に捩じ込むことで、これらを連結固定する態様としてもよい。
さらには、このような連結ブロック１３を別部材として備えた態様に代えて、上記同様、支持アーム１１の縦フレーム１２との連結箇所に、縦フレーム１２の上端開口に嵌合する連結凸部を予め付設するように設けておく態様としてもよい。
【００２６】
また、縦フレーム１２の下端１２ｂ側についても同様、下側の連結ブロック１３に、上下方向に貫通する止具挿通孔を予め設け、この連結ブロック１３の後側部に雌ねじ孔を予め設け、また、縦フレーム１２の下端１２ｂに止具挿通孔を予め設けておく態様としてもよい。または、これらの両方若しくは一方を設けずに固定止具９を縦フレーム１２の下端１２ｂ及び連結ブロック１３の後側部の両方若しくは一方に捩じ込むことで、これらを連結固定する態様としてもよい。
また、この縦フレーム１２は、固定フレーム１０に後端１１ａが連結された支持アーム１１を水平に支持可能なように、例えば、施工現場等において適宜の長さに切断するようにしてもよい。または、上下の連結ブロック１３，１３の少なくとも一方に対して縦フレーム１２の上下方向の固定位置の調整が可能なように、上端１２ａ及び下端１２ｂに設ける止具挿通孔の少なくとも一方を、上下に長径の長孔としてもよい。
【００２７】
また、この縦フレーム１２は、固定フレーム１０に連結される複数の支持アーム１１の全てに対して連結して設けるようにしてもよいが、図１に示すように、複数の支持アーム１１のうちのいくつか（図例では、４本）にのみ連結して設ける態様としてもよい。この場合、少なくとも固定フレーム１０の左右方向両端部に連結された支持アーム１１，１１に連結して設けるようにしてもよい。さらには、支持アーム１１が比較的に短い場合等、支持アーム１１の水平維持が可能な場合には、縦フレーム１２を設けないようにしてもよい。
【００２８】
上枠部材１４は、図１に示すように、固定フレーム１０と同様、長尺に形成されており、固定フレーム１０の長さ寸法と略同寸法とされ、固定フレーム１０と互いに平行となるように天井面３に沿わせるようにして配設される。
この上枠部材１４は、本実施形態では、支持アーム１１の前端に設けられた切欠凹所１１ｂに係合するレール保持フレーム１５と、このレール保持フレーム１５に固定された上レール１７とを備えている。
【００２９】
レール保持フレーム１５は、図２に示すように、下方に向けて開口する断面略コ字状（Ｕ字状乃至はＣ字状）とされ、本実施形態では、前後に２本の上レール１７を該開口内に収容するように設けている。
上レール１７は、上板部と、この上板部の幅方向（前後方向）両側縁から垂れ下がるように連成された両側板部とを備え、これらによって下方に向けて開口する形状とされている。この上レール１７の開口内に、後記するスライド扉１８の上端に設けられたランナー部材１９の転動部等が収容される。また、上レール１７の両側板部の下端縁には、当該上レール１７の幅方向内方側に向けて突出する案内片がそれぞれに設けられており、これら案内片に、ランナー部材１９の転動部が転動自在に支持される。
【００３０】
各上レール１７の長手方向両端部には、スライド扉１８の移動を防止するストッパー片等のストッパー部がそれぞれに設けられている。
この上レール１７とレール保持フレーム１５とは、上記同様の固定止具によって固定するようにしてもよく、溶接や接着等によって固定するようにしてもよい。または、これらを一体的に形成する態様としてもよい。
この上枠部材１４と支持アーム１１の前端の切欠凹所１１ｂとは、図２及び図３に示すように、上記同様、固定止具９によって連結固定するようにしてもよい。
【００３１】
また、本実施形態では、上枠部材１４に、支持アーム１１の前端を覆う前面カバー１６を設けている。
前面カバー１６は、レール保持フレーム１５の前面及び支持アーム１１の前端面を覆うように形成されている。
この前面カバー１６は、レール保持フレーム１５と一体的に形成するようにしてもよく、または、レール保持フレーム１５の前面に接着や溶接等によって固定して設けるようにしてもよい。さらには、上レール１７を備えたレール保持フレーム１５を支持アーム１１の前端の切欠凹所１１ｂに連結固定した後に、取り付けられるものとしてもよい。この場合、前面カバー１６の上下縁等に後方側に向けて突出する係止爪等を設けておき、レール保持フレーム１５乃至は支持アーム１１に対して着脱自在に取り付けられる構造とされたものとしてもよい。
【００３２】
上記のような前面カバー１６を設けることで、スライド扉１８の上方に、幕板状に前面カバー１６が配設されることとなり、上枠部材１４及び支持アーム１１を目立ち難くすることができ、見栄えを向上させることができる。
なお、上記した固定フレーム１０、支持アーム１１、縦フレーム１２、連結ブロック１３及び上枠部材１４は、金属系材料や硬質の合成樹脂系材料から形成されたものとしてもよい。
また、上記した固定フレーム１０、支持アーム１１、縦フレーム１２、連結ブロック１３及び上枠部材１４の施工手順は、各部材の機能を阻害しないように適宜の手順で組み付け、施工するようにすればよい。
【００３３】
スライド扉１８は、図１及び図２に示すように、略矩形平板状とされ、床面４近傍から上枠部材１４の下面近傍に略至るまでの高さ寸法とされている。
本実施形態では、複数枚のスライド扉１８の上端を上枠部材１４に保持させた例を示している。図例では、上枠部材１４の手前側及び後方側の各上レール１７，１７のそれぞれに二枚のスライド扉１８，１８の上端を保持させた例を示している。
【００３４】
これらスライド扉１８の上端部の扉幅方向（左右方向）両側端部近傍には、図２に示すように、ランナー部材１９が連結固定されている。このランナー部材１９は、公知のもので、スライド扉１８の上端部に設けられたカップ部等に連結固定される連結固定部やこの連結固定部に回動自在に設けられた転動部（ローラー）等を備えている。本実施形態では、上枠部材１４の上レール１７の上記案内片に、ランナー部材１９の転動部を転動自在に収容保持し、各スライド扉１８をスライド自在（開閉自在）に支持した上吊り構造としている。
このような上吊り構造とすることで、下レールが不要となり、床面４の見栄えを向上させることができる。
【００３５】
また、これらスライド扉１８の下端部には、図２に示すように、下方（床面４）に向けて開口したガイド凹溝１８ａが、扉幅方向に沿って形成されている。このガイド凹溝１８ａには、床に設けられたマグネットガイド８のガイドピンを吸引する磁石や鉄板等の吸着部が適所に設けられている。
マグネットガイド８は、スライド扉１８の移動軌跡に沿うようにして複数箇所に設けられており、図２に示すように、床に埋め込まれるようにして配設されている。このマグネットガイド８は、床面４から上下方向に沿って出没自在とされた磁石等を有したガイドピンを有している。このガイドピンは、各スライド扉１８のガイド凹溝１８ａに吸引されて床面４から突出し、ガイド凹溝１８ａに挿入され、各スライド扉１８の下部をスライド方向に沿ってガイドするガイド部として機能する。一方、各スライド扉１８が通過し、ガイド凹溝１８ａの吸着部による吸引力が除荷されれば、ガイドピンは、ケース内に自重によって没入し、その上端面が床面４と略面一状となる。
【００３６】
上記のような出没自在とされたマグネット式のガイドピンを備えたマグネットガイド８によってスライド扉１８の下部をガイドするガイド部を構成することで、見栄えが良く、また、躓き等を防止することもできる。
なお、このような出没自在とされたガイドピンを備えたマグネットガイド８によってガイド部を構成する態様に代えて、各スライド扉１８のガイド凹溝１８ａに挿入（遊挿）される固定ピンを床面４の適所に設ける態様としてもよい。この場合は、上記吸着部は不要である。
【００３７】
上記構成とされた本実施形態に係る間仕切装置１によれば、間仕切部材（本実施形態ではスライド扉）１８の施工性を向上させることができる。
つまり、固定フレーム１０を壁下地２に水平となるように固定し、この固定フレーム１０に対して複数の支持アーム１１を連結する。また、この支持アーム１１に対してスライド扉１８のランナー部材１９を保持する上枠部材１４を連結することでスライド扉１８を建て付けることができる。つまり、スライド扉１８を配設したい位置の天井面３に不陸等があるような場合にも、その天井面３に対して直接的に上枠部材１４を固定する必要がなく、また、その位置に垂れ壁等を設ける必要もないので、大掛かりな工事や造作を必要とせず、施工性を向上させることができる。
【００３８】
また、このような間仕切装置１によれば、リフォームやレイアウト変更の際にも柔軟に対応でき、建物内空間を新たに区画して個室スペースを形成したり、収納空間等を設けたりすることも容易に可能となる。例えば、図１に示すように、テレビやテレビボード、収納家具や収納棚等を設けた空間を、スライド扉１８によって容易に区画することができる。また、このような態様に限られず、例えば、リビングや居室等にウォークインクローゼット状の収納空間を区画するように当該間仕切装置１を施工したり、キッチンスペース等にパントリー状の収納空間を区画するように当該間仕切装置１を施工したりすることもできる。または、このような住居内の空間に施工する態様に限られず、オフィス等の一部に書架等の収納空間や個室スペース、打ち合わせスペースなどを区画するように当該間仕切装置１を施工することもできる。
【００３９】
また、本実施形態では、上端１２ａが支持アーム１１に連結され、下端１２ｂが床側に固定される縦フレーム１２を備えているので、支持アーム１１が比較的に長尺等である場合にも上枠部材１４を安定的に支持アーム１１によって支持させることができる。
さらに、上記のように縦フレーム１２に棚板支持部を設けた構成とすれば、図１に示すように、隣接する縦フレーム１２，１２間に棚板７を架設することができ、当該間仕切装置１を収納装置として機能させることもできる。なお、このような棚板支持部を縦フレーム１２に設けないようにしてもよい。
【００４０】
さらにまた、本実施形態では、固定フレーム１０と支持アーム１１の後端１１ａ、及び支持アーム１１と縦フレーム１２の上端１２ａを、それぞれ連結ブロック１３，１３を介して着脱自在に固定止具９によって連結固定する構造としている。従って、当該間仕切装置１を施工した後に、リフォームやレイアウト変更等の必要が生じた場合にも比較的に容易かつ柔軟に対応することができ、建物内空間の可変性を向上させることができる。
なお、上記した例では、固定フレーム１０と支持アーム１１の後端１１ａ、支持アーム１１と縦フレーム１２の上端１２ａ及び縦フレーム１２の下端１２ｂと床面４を、それぞれ連結ブロック１３を介して着脱自在に固定止具９によって連結固定する態様としたが、このような態様に限られない。いずれかの連結固定または全ての連結固定を、Ｌ型金具やＩ型金具等の連結金具を用いて連結固定する態様としてもよい。
【００４１】
また、本実施形態では、間仕切部材を扉部材としてのスライド扉１８とし、上枠部材１４を、スライド扉１８の開閉を案内する上レール１７を備えた構成としている。従って、必要に応じて容易に開閉することができ、当該間仕切装置１を扉装置として容易に施工することができる。
また、特にこのようなスライド扉１８等の扉部材は、スムーズに開閉される必要があるため、上枠部材１４を水平に固定することが望まれる。本実施形態によれば、上述のように当該スライド扉１８を設けたい位置の天井面３に不陸があるような場合にも比較的容易に上枠部材１４を水平に配設することができ、このような扉装置にも好適なものとなる。
【００４２】
なお、扉部材としては、図例のようなスライド扉１８に限られず、複数枚の戸板を折り畳み自在に連結した折戸としてもよい。この場合は、折戸の各戸板の上端に設けられるランナー部材に対して各戸板を回動可能に連結するようにすればよい。
また、本実施形態では、扉部材（スライド扉１８）を上吊り支持する上レール１７を下向きに開口し、両側板部に、ランナー部材１９の転動部を転動自在に支持する案内片を連成したものとしているが、このような態様に限られない。例えば、上レールは、ランナー部材の形状や構造に応じて、略Ｌ字状とされたものや、横向きに開口した略コ字状（略倒Ｕ字状乃至はＣ字状）とされたものとしてもよい。
【００４３】
さらに、本実施形態では、扉部材（スライド扉１８）を上吊り構造とした例を示しているが、このような態様に限られず、下荷重構造としてもよい。この場合は、扉部材（スライド扉１８）の上端部に、ランナー部材に代えて、上レール乃至は上枠部材等に係合する案内片やピボット等を設けるようにしてもよい。また、この場合は、扉部材（スライド扉１８）の下端部に戸車を設け、この戸車をガイドする下レール等を床面４に敷設乃至は床に埋設するようにしてもよい。
さらにまた、本実施形態では、４枚の扉部材（スライド扉１８）を設けた例を示しているが、他の複数枚の扉部材を設けるようにしてもよい。
【００４４】
また、本実施形態では、間仕切部材を扉部材とし、その開閉を案内する上レールを備えた上枠部材を設けた例を示しているが、このような態様に限られない。例えば、間仕切部材としては、容易に開閉ができない間仕切パネルとし、上枠部材にこの間仕切パネルの上端を受け入れる係合凹溝を設けた態様としてもよい。この場合は、間仕切パネルの下端を受け入れる係合凹溝を設けた下枠部材を床面４に敷設乃至は床に埋設するようにしてもよい。
さらにまた、当該間仕切装置１が施工される箇所が、室内空間の一部等である場合、つまり、当該間仕切装置１の施工箇所となる壁下地２に隣接する壁体等が左右の両方または一方に近接して存在しない場合には、当該間仕切装置１の左右の両方または一方に壁パネル等を配設するようにしてもよい。
【符号の説明】
【００４５】
１        間仕切装置
２        壁下地
３        天井面
５        天井側入隅部
９        固定止具
１０      固定フレーム
１１      支持アーム
１１ａ    支持アームの後端（一端）
１１ｂ    支持アームの切欠凹所（他端）
１２      縦フレーム
１２ａ    縦フレームの上端
１２ｂ    縦フレームの下端
１３      連結ブロック
１４      上枠部材
１７      上レール
１８      スライド扉（扉部材、間仕切部材）
１９      ランナー部材（スライド扉の上端）
【図１】
2012197593.tif 000003
【図２】
2012197593.tif 000004
【図３】
2012197593.tif 000005